(57)【要約】【課題】元画像や、元画像を解析して得られた解析画像等の各種医用画像を表示する医用画像表示装置において、目的の医用画像を容易に探し出すことができるようにする。【解決手段】医用画像表示装置４は、医用画像を取得する画像取得手段と、画像取得手段が取得した医用画像Ｉの中に、元画像ＩＯと、元画像ＩＯに紐づけられた少なくとも一種類の解析画像ＩＡと、が含まれる場合に、元画像ＩＯか、いずれかの種類の解析画像ＩＡかを選択するための選択肢Ｍ，Ｂ１〜Ｂ３，Ｔ１〜Ｔ３を表示する選択肢表示手段と、ユーザーの操作に基づいて、選択肢Ｍ，Ｂ１〜Ｂ３，Ｔ１〜Ｔ３の中からいずれかの医用画像ＩＯ，ＩＡを選択する選択手段と、選択手段が選択した医用画像ＩＯ，ＩＡを表示する画像表示手段と、を備える。【選択図】図７
2020098438.tif 000002
【特許請求の範囲】
【請求項１】
医用画像を取得する画像取得手段と、
前記画像取得手段が取得した医用画像の中に、元画像と、前記元画像を解析して得られた少なくとも一種類の解析画像と、が含まれる場合に、前記元画像か、いずれかの種類の前記解析画像かを選択するための選択肢を表示する選択肢表示手段と、
ユーザーの操作に基づいて、前記選択肢の中からいずれかの医用画像を選択する選択手段と、
前記選択手段が選択した医用画像を表示する画像表示手段と、を備えることを特徴とする医用画像表示装置。
【請求項２】
前記選択肢は、前記元画像と複数の前記解析画像との選択メニューであることを特徴とする請求項１に記載の医用画像表示装置。
【請求項３】
前記選択肢は、各医用画像の種類を示す複数のボタン又は複数のアイコンであることを特徴とする請求項１に記載の医用画像表示装置。
【請求項４】
前記選択肢は、各医用画像の種類を示す複数のタブであることを特徴とする請求項１に記載の医用画像表示装置。
【請求項５】
前記画像表示手段は、前記選択手段が選択した医用画像を、それまで表示していた医用画像と並べて表示することを特徴とする請求項１から請求項４のいずれか一項に記載の医用画像表示装置。
【請求項６】
前記画像表示手段は、前記選択手段が選択した医用画像を、それまで表示していた医用画像と入れ替えて表示することを特徴とする請求項１から請求項４のいずれか一項に記載の医用画像表示装置。
【請求項７】
元画像を生成する撮影装置と、
前記元画像を解析して解析画像を生成する画像解析装置と、
請求項１から請求項６のいずれか一項に記載の医用画像表示装置と、を備えることを特徴とする医用画像表示システム。
【発明の詳細な説明】
【技術分野】
【０００１】
本発明は、医用画像表示装置及び医用画像表示システムに関する。
【背景技術】
【０００２】
医用画像を管理するベースとなるＤＩＣＯＭ（Digital Imaging and Communications in Medicine）規格では、撮影された画像を、患者‐検査‐画像という複数の階層に分けて分類することとしている。つまり、ある検査において複数回に亘って撮影が行われると、当該検査における一連の撮影が同一シリーズの撮影ということになり、その検査で得られた複数の医用画像は、同一シリーズに含まれることとなる。
画像保存通信システム（Picture Archiving and Communication System：以下、ＰＡＣＳ）は、医用画像を表示する表示装置に、各シリーズを代表するサムネイルをそれぞれ表示させ、操作者によっていずれかのサムネイルが選択されると、対応するシリーズに含まれる医用画像を表示装置の確認画面に表示させるようになっているのが一般的である。
【０００３】
近年、医用画像に所定の解析を施して新たな医用画像（以下、解析画像）を生成することが行われている。こうした解析画像は、解析元の医用画像（以下、元画像）と同様に表示装置に表示され、医師の診断等に用いられる。
例えば、特許文献１には、表示されている医用画像又は解析結果画像の設定された注目領域の位置又はその周囲に、医用画像及び解析結果画像のうち表示されている画像の関連画像における注目領域に対応する位置の画像を表示させる画像解析システムについて記載されている。
【先行技術文献】
【特許文献】
【０００４】
【特許文献１】特開２０１７−２０２０４３号公報
【発明の概要】
【発明が解決しようとする課題】
【０００５】
しかしながら、特許文献１に記載されたような解析画像は、一般的にＤＩＣＯＭ規格に定められたＳＣ（Secondary Capture）という種類の画像として元画像とは別のシリーズに属する医用画像として扱われていた。また異なる解析が施された各種解析画像は、元画像が共通していたとしても、一般的にそれぞれ異なるシリーズに属する医用画像として扱われていた。
このため、従来のＰＡＣＳは、元画像の他に、この元画像の解析画像が複数種類存在する場合、例えば図１０に示すように、元画像のサムネイルＴＯ１、解析画像のサムネイルＴＡ１、他の解析画像のサムネイルＴＡ２を別々に表示することになる。
なお、ＰＡＣＳは、一般的に、メーカーに関係なくＤＩＣＯＭの規格に準拠する仕様で設計されており、サムネイルの表示方法についても、各メーカーとも同様の表示方法となっている。
【０００６】
また、元画像が複数存在する場合には、上記元画像のサムネイルＴＯ１、解析画像のサムネイルＴＡ１，ＴＡ２の他に、他の元画像のサムネイルＴＯ２、他の解析画像のサムネイルＴＡ３，ＴＡ４を更に別々に表示することになる。
図１０においては、各サムネイルに符号が付されているため、各画像を比較的容易に見つけ出すことが可能であるが、実際の確認画面においては、このような目印になるものは存在しないことが多い。そのため、例えば一つずつサムネイルを選択し医用画像を表示させる等して確認するしかなかった。
また、例えば各サムネイルにコメントを付すことができる場合もあるが、部位名称、撮影技法の名称等に使用することが多く、解析画像の種類の特定に使えるとは限らない。仮にコメントが解析画像の種類の特定に使えるとしても、表示されるコメントの数が多くなり過ぎて目的の画像を探す際に却って煩わしくなることがあった。
つまり、従来の表示装置は、ユーザーが複数種類の医用画像の中から目的の医用画像を探し出す際に大変手間がかかるものであった。
【０００７】
本発明は、上記課題に鑑みてなされたものであり、元画像や、元画像を解析して得られた解析画像等の各種医用画像を表示する医用画像表示装置において、目的の医用画像を容易に探し出すことができるようにすることを目的とする。
【課題を解決するための手段】
【０００８】
上記課題を解決するため、本発明は、
医用画像を取得する画像取得手段と、
前記画像取得手段が取得した医用画像の中に、元画像と、前記元画像を解析して得られた少なくとも一種類の解析画像と、が含まれる場合に、前記元画像か、いずれかの種類の前記解析画像かを選択するための選択肢を表示する選択肢表示手段と、
ユーザーの操作に基づいて、前記選択肢の中からいずれかの医用画像を選択する選択手段と、
前記選択手段が選択した医用画像を表示する画像表示手段と、を備えることを特徴とする。
【発明の効果】
【０００９】
本発明によれば、目的の医用画像を容易に探し出すことができる。
【図面の簡単な説明】
【００１０】
【図１】本発明の実施形態に係る医用画像表示システムを表すブロック図である。
【図２】図１の医用画像表示システムが備える画像解析装置を表すブロック図である。
【図３】図１の医用画像表示システムで扱う画像データに含まれる情報の一例を表す表である。
【図４】図１の医用画像表示システムが備える医用画像表示装置を表すブロック図である。
【図５】図４の医用画像表示装置が表示する画像確認画面の一例を示す図である。
【図６】図４の医用画像表示装置が表示する選択肢の一例を示す図である。
【図７】図４の医用画像表示装置を用いて目的の画像が表示されるまでの流れの一例を表す図である。
【図８】図４の医用画像表示装置を用いて目的の画像が表示されるまでの流れの他の例を表す図である。
【図９】図４の医用画像表示装置を用いて目的の画像が表示されるまでの流れの他の例を表す図である。
【図１０】従来の医用画像表示装置の表示画面の一例を示す図である。
【発明を実施するための形態】
【００１１】
以下、本発明の実施の形態について、図面を参照しながら説明する。ただし、本発明の範囲は、以下の実施形態や図面に記載されたものに限定されるものではない。
【００１２】
〔放射線撮影システム〕
まず、本実施形態に係る医用画像表示システム１００の概略構成について説明する。図１は医用画像表示システム１００を表すブロック図である。
【００１３】
本実施形態の医用画像表示システム１００は、図１に示すように、撮影装置１と、コンソール２と、画像解析装置３と、医用画像表示装置４と、を備えている。
これらの装置１〜４は、通信ネットワーク５を介して互いに通信可能となっている。
また、医用画像表示システム１００は、図示しない病院情報システム（Hospital Information System：ＨＩＳ）や、放射線科情報システム（Radiology Information System：ＲＩＳ）、画像保存通信システム（Picture Archiving and Communication System：ＰＡＣＳ）等と接続することが可能となっている。
なお、これらの装置１〜４やシステムは、医用画像Ｉのデータ（以下画像データ）の管理や通信を、ＤＩＣＯＭ（Digital Imaging and Communications in Medicine）規格に基づいて行うようになっている。
【００１４】
撮影装置１は、後述する画像解析装置３で解析する医用画像Ｉを生成することが可能なものであればよく、例えば放射線発生装置が発生させた放射線に応じた放射線画像を生成する放射線画像撮影装置等を用いることができる。
なお、医用画像Ｉは、静止画像であってもよいし、複数のフレームを有する動態画像であってもよい。
また、撮影装置を、通信ネットワーク５に直接接続するのではなく、コンソール２や画像解析装置３等を介して接続するようにしてもよい。
また、撮影装置１から他の装置２，３への医用画像Ｉの転送は、通信ネットワーク５を介して行うのではなく、記憶媒体やケーブルを用いて行うようにしてもよい。
【００１５】
コンソール２は、ＰＣや専用の装置で構成されている。
また、コンソール２は、他の装置等（ＨＩＳやＲＩＳ等）から取得した検査情報や操作者による操作に基づいて、各種撮影条件（管電圧や管電流、照射時間（ｍＡｓ値）、フレームレート等）を撮影装置１等に設定することが可能となっている。
【００１６】
画像解析装置３は、ＰＣや専用の装置、クラウド上の仮想サーバー等で構成されている。
また、画像解析装置３は、撮影装置から取得した医用画像Ｉを解析して解析画像ＩＡを生成し、解析元となった医用画像Ｉである元画像ＩＯ及び解析画像ＩＡを出力することが可能となっている。
この画像解析装置３の詳細については後述する。
【００１７】
本実施形態における医用画像表示装置４は、ＰＣや携帯端末、専用の装置等で構成されている。
この医用画像表示装置４の詳細についても後述する。
【００１８】
〔画像解析装置〕
次に、上記医用画像表示システム１００が備える画像解析装置３の具体的構成について説明する。図２は画像解析装置３を表すブロック図、図３は医用画像表示システム１００で扱う医用画像Ｉのデータに含まれる情報の一例を表す表である。
【００１９】
本実施形態に係る画像解析装置３は、図２に示すように、制御部３１と、通信部３２と、記憶部３３と、を備えている。
【００２０】
制御部３１は、ＣＰＵ（Central Processing Unit）、ＲＡＭ（Random Access Memory）等により構成される。制御部３１のＣＰＵは、記憶部３３に記憶されている各種プログラムを読出してＲＡＭ内に展開し、展開されたプログラムに従って各種処理を実行し、画像解析装置３各部の動作を集中制御する。
【００２１】
通信部３２は、無線モジュール等で構成され、通信ネットワーク５（ＬＡＮ（Local Area Network）、ＷＡＮ（Wide Area Network）、インターネット等）を介して接続された他の装置等１，２，４との間で各種信号や各種データを送受信することが可能となっている。
【００２２】
記憶部３３は、不揮発性の半動態メモリーやハードディスク等により構成され、制御部３１が実行する各種プログラムやプログラムの実行に必要なパラメーター等を記憶している。
また、記憶部３３は、各種医用画像Ｉ（元画像ＩＯや解析画像ＩＡ）を記憶することが可能となっている。
【００２３】
このように構成された画像解析装置３の制御部３１は、以下のような機能を有している。
例えば、制御部３１は、元画像ＩＯのデータを、通信部３２を介して他の装置等（撮影装置１、コンソール２等）から取得する機能を有している。
ここで取得される元画像ＩＯには、静止画像と、複数のフレーム画像を有する動態画像と、が含まれる。
【００２４】
また、制御部３１は、取得した元画像ＩＯを解析し、解析画像ＩＡを生成する機能を有している。
具体的には、例えば、動態画像の前後のフレームの同一位置の画素の信号値の差を信号値とする差分画像を生成したり、後述する骨減弱（Bone Suppression：以下ＢＳ）画像ＩＢや換気画像ＩＶを生成したりする。
【００２５】
また、制御部３１は、取得した元画像ＩＯと、自身が生成した解析画像ＩＡと、を紐づける機能を有している。
本実施形態においては、例えば、「ＵＩＤ」と呼ばれる情報を用いて紐づけを行うようになっている。
撮影装置１から取得した元画像ＩＯのデータには、例えば図３（ａ）に示すようなＵＩＤが含まれている。
ＵＩＤには、ＳＯＰクラスＵＩＤとＳＯＰインスタンスＵＩＤの２種類がある。
ＳＯＰクラスＵＩＤは、医用画像Ｉの種類を表すＩＤであり、例えば「1.2.840.10008.5.1.4.1.1.12.2」といった値で示される。そして、図３（ｄ）に示す表によれば、この元画像ＩＯの種類は、「X-Ray Angiographic Image Storage」ということになる。
ＳＯＰインスタンスＵＩＤは、医用画像Ｉを唯一に特定するＩＤであり、例えば「1.2.392.200036.910.307.66919.20181129.172519.10011219」といった値で示される。
【００２６】
また、解析画像ＩＡの一種であるＢＳ画像ＩＢや換気画像ＩＶのデータには、図３（ｂ），（ｃ）に示すようなＵＩＤが含まれている。
図３（ｂ）に示したＳＯＰクラスＵＩＤは、図３（ａ）と同じ値になっているため、このＢＳ画像ＩＢは、図３（ａ）の元画像ＩＯと種類が同じということになる。
また、解析画像ＩＡのＳＯＰインスタンスＵＩＤの末尾には、解析の種類を示す数値（ここでは「１」）が付されている。
また、ＢＳ画像ＩＢのデータ（（０００８，２１１２）発生源画像シーケンス）の中には、参照ＵＩＤが含まれている。
参照ＵＩＤには、参照ＳＯＰクラスＵＩＤと参照ＳＯＰインスタンスＵＩＤの２種類がある。
参照ＳＯＰインスタンスＵＩＤは、このＢＳ画像ＩＢの生成に用いられた元画像ＩＯのＳＯＰインスタンスＵＩＤである。図３（ｂ）に示した参照ＳＯＰインスタンスＵＩＤは、図３（ａ）に示したＳＯＰインスタンスＵＩＤと同じ値になっている。すなわち、このＢＳ画像ＩＢは、図３（ａ）の元画像ＩＯから生成されたということになる。
【００２７】
また、換気画像ＩＶのＳＯＰインスタンスＵＩＤの末尾には、上記ＢＳ画像ＩＢとは異なる、解析の種類を示す数値（ここでは「２」）が付されている。
また、この換気画像ＩＶの参照ＳＯＰインスタンスＵＩＤは、図３（ａ）に示したＳＯＰインスタンスＵＩＤと同じ値になっている。すなわち、この換気画像ＩＶは、図３（ａ）の元画像から生成されたということになる。
【００２８】
なお、図３（ｃ）に示したＳＯＰクラスＵＩＤは、「1.2.840.10008.5.1.4.1.1.7.4」となっている。そして、図３（ｄ）に示す表によれば、この換気画像ＩＶの種類は、「Multi-frame True Color Secondary」ということになり、元画像ＩＯと異なる。しかし、参照ＳＯＰインスタンスＵＩＤに基づいて紐づけを行っているため、このような異なる種類の医用画像Ｉも紐づけることができる。
【００２９】
ＤＩＣＯＭ規格上は、元画像ＩＯと解析画像ＩＡとは異なるシリーズの医用画像Ｉとして扱われるが、本実施形態の制御部３１は、参照ＳＯＰインスタンスＵＩＤの値が等しい医用画像を一のグループに含まれる医用画像Ｉとして扱うようになっている。
なお、ここでは、ＢＳ画像ＩＢ及び換気画像ＩＶの場合について説明したが、他の解析画像ＩＡの場合も同様の手法を用いて紐づけすることができる。
また、ここでは、（０００８，２１１２）発生源画像シーケンスを用いて各医用画像Ｉの紐づけを行う場合について説明したが、発生源画像シーケンスの代わりに、（０００８，１１４０）参照画像シーケンスを用いて紐づけを行うようにしてもよい。
【００３０】
また、制御部３１は、解析画像ＩＡのデータを、通信部３２を介して医用画像表示装置４へ送信する機能を有している。
【００３１】
〔医用画像表示装置〕
次に、上記医用画像表示システムが備える医用画像表示装置４の具体的構成について説明する。図４は医用画像表示装置４を表すブロック図、図５は医用画像表示装置４が表示する画像確認画面Ｓの一例を示す図、図６は医用画像表示装置４が表示する選択肢の一例を示す図、図７〜９は医用画像表示装置４を用いて目的の医用画像Ｉが表示されるまでの流れの一例を表す図である。
【００３２】
本実施形態に係る医用画像表示装置４は、図４に示すように、制御部４１と、通信部４２と、記憶部４３と、表示部４４と、操作部４５と、を備えている。
【００３３】
制御部４１や通信部４２は、画像解析装置３における制御部３１や通信部３２と同様に構成されている。
【００３４】
記憶部４３は、不揮発性の半動態メモリーやハードディスク等により構成され、制御部４１が実行する各種プログラムやプログラムの実行に必要なパラメーター等を記憶している。
また、記憶部４３は、撮影装置１から取得した元画像ＩＯのデータや、画像解析装置３が生成した解析画像ＩＡのデータを記憶することが可能となっている。
なお、記憶部４３に、後述する階調処理のパラメーターとなる複数の異なる数値をプリセットとして格納しておくようにしてもよい。
【００３５】
表示部４４は、ＬＣＤ（Liquid Crystal Display）やＣＲＴ（Cathode Ray Tube）等のモニターにより構成され、制御部４１から入力される表示信号の指示に従って、各種画像や各種情報等を表示するようになっている。
【００３６】
操作部４５は、カーソルキーや、数字入力キー、各種機能キー等を備えたキーボードや、マウス等のポインティングデバイス、表示部４４の表面に積層されたタッチパネル等によって操作者が操作可能に構成されている。
そして、操作部４５は、操作者によってなされた操作に基づく各種信号を制御部３１に出力する。
なお、医用画像表示装置４に操作部４５を備えるのではなく、コンソール２や画像解析装置３等に操作部を設けるようにしてもよい。
【００３７】
このように構成された医用画像表示装置４の制御部４１は、以下のような機能を有している。
例えば、制御部４１は、通信部４２を介して医用画像Ｉを取得する機能を有している。
すなわち、制御部４１は、本発明における画像取得手段をなす。
【００３８】
また、本実施形態に係る制御部４１は、元画像ＩＯの他に、当該元画像ＩＯを解析して得られた一又は複数の解析画像ＩＡが存在する場合に、元画像ＩＯ及び解析画像ＩＡが属するグループの中で、当該グループを代表する医用画像Ｉのサムネイル（以下、代表サムネイル）を表示するようになっている。
本実施形態においては、例えば図５に示すような画像確認画面Ｓを表示部４４に表示させ、その中の代表サムネイル表示部Ｓａに代表サムネイルＴＲ１を表示させるようになっている。
また、グループが複数存在する場合には、各グループの代表サムネイルＴＲ１，ＴＲ２をそれぞれ表示する。
【００３９】
なお、ここでは、元画像のサムネイルを代表サムネイルＴＲ１，ＴＲ２としたが、解析画像のサムネイルを代表サムネイルＴＲ１，ＴＲ２としてもよい。
また、どの医用画像Ｉを代表画像とするかは、後で変更できるようにしてもよい。
また、サムネイルではなく、アイコン等でグループを示すようにしてもよい。
【００４０】
本実施形態に係る画像確認画面Ｓは、上記代表サムネイル表示部Ｓａの他に、検査情報表示部Ｓｂと、画像表示部Ｓｃと、操作ボタン表示部Ｓｄと、を有している。
このうち、検査情報表示部Ｓｂは、被検者のＩＤや氏名を表示する領域である。
また、画像表示部Ｓｃは、医用画像Ｉを表示するための領域である。
なお、画像表示部Ｓｃには、目的の医用画像が表示されるまでの間、初期表示として代表サムネイルＴＲ１・・に対応する医用画像Ｉ（例えば元画像ＩＯ）を表示するようにしてもよい。
また、操作ボタン表示部Ｓｄは、表示された医用画像Ｉに対して所定操作（階調処理、パン、拡大／縮小、虫眼鏡、画像処理、アノテーション付加、計測等）を指示するための各種操作ボタンが設けられた領域である。
【００４１】
また、制御部４１は、取得した医用画像Ｉの中に、元画像ＩＯと、元画像ＩＯを解析して得られた少なくとも一種類の解析画像ＩＡと、が含まれる場合に、元画像ＩＯか、いずれかの種類の前記解析画像ＩＡかを選択するための選択肢を表示する機能を有している。
選択肢としては、（１）元画像ＩＯと複数の解析画像ＩＡとの選択メニューＭ、（２）各医用画像Ｉの種類を示す複数のボタンもしくは複数のアイコン（以下ボタン等Ｂ）、（３）各医用画像Ｉの種類を示す複数のタブ、又は（４）各医用画像のサムネイルＴ１・・等が考えられる。
【００４２】
選択肢を選択メニューＭの形で表示する場合は、例えば図６（ａ）に示すように、医用画像Ｉが表示されている状態で所定操作（例えばマウスの右クリック等）がなされたことを契機として、医用画像Ｉの周辺又は一部が医用画像Ｉと重なる領域に表示するようにする。
また、ボタン等Ｂ、タブ、サムネイルＴ１〜Ｔ３等の形で選択肢を表示する場合は、図６（ｂ）、（ｃ）に示すように、初期表示の医用画像Ｉと共に初めから表示するようにしてもよいし、上記選択メニューＭと同様、所定操作を契機として表示するようにしてもよい。
制御部４１は、上述したような機能を有することにより、本発明における選択肢表示手段をなす。
なお、一のグループの中に１種類の医用画像Ｉしか含まれていない場合には、選択肢は表示しなくてもよいし、表示はしても操作できないようにしてもよく、更にわかりやすいように例えば、医用画像Ｉの中に元画像、ＢＳ画像、換気画像のうちＢＳ画像が含まれていない場合は、ＢＳ画像の選択肢をグレーアウトさせるようにしていてもよい。このようにすることで、ユーザーはグレーアウトした医用画像が含まれていないことを明確に確認することができる。
【００４３】
また、制御部４１は、操作部４５になされたユーザーの操作に基づいて、選択肢の中からいずれかの医用画像Ｉを選択する機能を有している。
選択メニューＭ、複数のボタン等Ｂ、タブ、複数のサムネイルＴ１〜Ｔ３のいずれかがクリック又はタッチされたり対応するキーが操作されたりしたことに基づいて、対応する医用画像Ｉを選択するようになっている。
すなわち、制御部４１は、本発明における選択手段をなす。
【００４４】
また、制御部４１は、選択した医用画像Ｉを表示する機能を有している。
例えば、選択肢の表示方法が図７（ａ）に示すような選択メニューＭであった場合、図７（ｂ）に示すように目的の医用画像Ｉの項目（ここでは、ＢＳ画像ＩＢの場合を例示）が選択（クリックやタッチ）されると、図７（ｃ）に示すように、目的の医用画像Ｉを表示する。
一方、選択肢の表示方法が図８（ａ）に示すようなボタン等Ｂであった場合、目的の医用画像Ｉのボタン等Ｂ（ここでは、換気画像ＩＶの場合を例示）が選択（クリックやタッチ）されると、図８（ｂ）に示すように、目的の医用画像Ｉを表示する。
【００４５】
なお、目的の医用画像Ｉを表示する際、例えば図７（ｃ）や図８（ｂ）に示したように、選択した医用画像Ｉを、それまで表示していた医用画像Ｉと並べて表示するようにしてもよいし、図９に示すように、それまで表示していた医用画像Ｉと入れ替えて表示する（目的の医用画像Ｉのみを表示する）ようにしてもよい。
これらの表示方法は、何れかが設定されていてもよいし、ユーザーが予め選択できるようにしてもよい。
制御部４１は、上述したような機能を有することにより、本発明における画像表示手段をなす。
【００４６】
以上、本実施形態に係る医用画像表示装置４の具体的構成について説明してきたが、医用画像表示装置４が有する上記各種機能の少なくとも一部は、コンソール２や他の表示部を有する装置等に持たせるようにしてもよい。
【００４７】
ＤＩＣＯＭ規格では、ある元画像ＩＯを解析することによって得られた解析画像ＩＡは、元画像ＩＯと別シリーズとして扱われるため、従来の表示装置では、医用画像のサムネイルを表示する際、元画像のサムネイルと解析画像のサムネイルを別々に表示するしかなかった。しかし、本実施形態に係る医用画像表示システム１００によれば、元画像ＩＯと、元画像ＩＯに紐づけられた少なくとも一種類の解析画像ＩＡと、を一つのグループにまとめ、一つのグループに属する医用画像を一つの代表サムネイルＴＲ１・・で示すことができる。その結果、ユーザーは目的とする医用画像Ｉを選択する際に、グループ（いずれかの代表サムネイルＴＲ１・・）を選択し、次いで選択したグループに含まれる医用画像Ｉを選択肢（選択メニューＭ、複数のボタン等Ｂ１〜Ｂ３、複数のサムネイルＴ１〜Ｔ３等）の中から選択することで、目的の医用画像Ｉを容易に探し出すことができる。
【符号の説明】
【００４８】
１００  医用画像表示システム
１  撮影装置
２  コンソール
３  画像解析装置
３１  制御部
３２  通信部
３３  記憶部
４  医用画像表示装置
４１  制御部
４２  通信部
４３  記憶部
４４  表示部
４５  操作部
５  通信ネットワーク
Ｂ  ボタンやアイコン（選択肢）
Ｉ  医用画像
ＩＡ  解析画像
ＩＢ  骨減弱画像
ＩＯ  元画像
ＩＶ  換気画像
Ｍ  選択メニュー（選択肢）
Ｓ  画像確認画面
Ｓａ  代表サムネイル表示部
Ｓｂ  検査情報表示部
Ｓｃ  画像表示部
Ｓｄ  操作ボタン表示部
Ｔ１-Ｔ３  サムネイル（選択肢）
ＴＡ１，ＴＡ２，ＴＡ３，ＴＡ４  従来の解析画像のサムネイル
ＴＯ１，ＴＯ２  従来の元画像のサムネイル
ＴＲ１，ＴＲ２  代表サムネイル
【図１】
2020098438.tif 000003
【図２】
2020098438.tif 000004
【図３】
2020098438.tif 000005
【図４】
2020098438.tif 000006
【図５】
2020098438.tif 000007
【図６】
2020098438.tif 000008
【図７】
2020098438.tif 000009
【図８】
2020098438.tif 000010
【図９】
2020098438.tif 000011
【図１０】
2020098438.tif 000012